(57)【特許請求の範囲】
【請求項１】
ケースの内部に電話機本体組立体が組み込まれており、スピーカを有し、該スピーカの部分に上記ケースとは別の部品であるスピーカカバー部品が取り付けてある構成の携帯電話機において、
該ケースは、上記スピーカと対向する部分に開口を有し、
上記スピーカカバー部品は、板部と、該板部の下面に突き出た環状の環状リブと、上記板部の下面のうち上記環状リブより外側の部位に、筒状のボスと、溶着用リブとを有し、上記板部は、該環状リブを覆う天板部を有し、該天板部に孔を有し、
該スピーカカバー部品が、上記環状リブが上記開口内に嵌合した状態で上記ケースに固定してあり、
上記環状リブと上記天板部とが上記スピーカに対向する空間を形成し、
該筒状のボスを上記ケースの位置決め孔に嵌合させた状態で、上記溶着用リブを上記ケースに溶着されている構成としたことを特徴とする携帯電話機。
【請求項２】
上記環状リブと上記スピーカのフレームとの間に環状のクッション材が挟んである構成としたことを特徴とする請求項１に記載の携帯電話機。
【請求項３】
ケースの内部に電話機本体組立体が組み込まれており、マイクを有し、該マイクの部分に上記ケースとは別の部品であるマイクカバー部品が取り付けてある構成の携帯電話機において、
該ケースは、上記マイクと対向する部分に開口を有し、
上記マイクカバー部品は、板部と、該板部の下面に突き出た環状の環状リブと、上記板部の下面のうち上記環状リブより外側の部位に、筒状のボスと、溶着用リブとを有し、上記板部は、該環状リブを覆う天板部を有し、該天板部に孔を有し、
該マイクカバー部品が、上記環状リブが上記開口内に嵌合した状態で上記ケースに固定してあり、
上記環状リブと上記天板部とが上記マイクに対向する空間を形成し、
該筒状のボスを上記ケースの位置決め孔に嵌合させた状態で、上記溶着用リブを上記ケースに溶着されている構成としたことを特徴とする携帯電話機。
【請求項４】
ケースの内部に電話機本体組立体が組み込まれており、スピーカ及びマイクを有し、該スピーカの部分に上記ケースとは別の部品であるスピーカカバー部品が取り付けてり、該マイクの部分に上記ケースとは別の部品であるマイクカバー部品が取り付けてある構成の携帯電話機において、
該ケースは、上記スピーカと対向する部分に第１の開口を有し、
上記スピーカカバー部品は、第１の板部と、該第１の板部の下面に突き出た第１の環状の環状リブと、上記第１の板部の下面のうち上記第１の環状リブより外側の部位に、第１の筒状のボスと、第１の溶着用リブとを有し、上記第１の板部は、該第１の環状リブを覆う第１の天板部を有し、該第１の天板部に第１の孔を有し、
該スピーカカバー部品が、上記第１の環状リブが上記第１の開口内に嵌合した状態で上記ケースに固定してあり、
上記第１の環状リブと上記第１の天板部とが上記スピーカに対向する空間を形成し、
該第１の筒状のボスを上記ケースの第１の位置決め孔に嵌合させた状態で、上記第１の溶着用リブを上記ケースに溶着されている構成であり、
該ケースは、上記マイクと対向する部分に第２の開口を有し、
上記マイクカバー部品は、第２の板部と、該第２の板部の下面に突き出た第２の環状の環状リブと、上記第２の板部の下面のうち上記第２の環状リブより外側の部位に、第２の筒状のボスと、第２の溶着用リブとを有し、上記第２の板部は、該第２の環状リブを覆う第２の天板部を有し、該第２の天板部に第２の孔を有し、
該マイクカバー部品が、上記第２の環状リブが上記第２の開口内に嵌合した状態で上記ケースに固定してあり、
上記第２の環状リブと上記第２の天板部とが上記マイクに対向する空間を形成し、
該第２の筒状のボスを上記ケースの第２の位置決め孔に嵌合させた状態で、上記第２の溶着用リブを上記ケースに溶着されている構成としたことを特徴とする携帯電話機。
【発明の詳細な説明】
【０００１】
【発明の属する技術分野】
本発明は携帯電話機に係り、特に、デザインを他のメーカの携帯電話機と差別化するために、スピーカ及びマイクの部分に、ケースとは別の部品であるスピーカカバー部品及びマイクカバー部品が取り付けてある構成の携帯電話機に関する。
【０００２】
【従来の技術】
携帯電話機の中には、デザインを他のメーカの携帯電話機と差別化するために、スピーカとマイクの場所の色をケースの色とは異なる色とした構成のものがある。スピーカとマイクの場所の色をケースの色とは異なる色とする手法として、二色成形による方法、マスキング塗装による方法、及び、ケースとは別の部品である別部品を取り付ける方法がある。製造コスト及び歩留りの点から、別部品（スピーカカバー部品及びマイクカバー部品）を取り付ける方法が採用されている。
【０００３】
図１（Ａ），（Ｂ），（Ｃ）は、従来の携帯電話機１０を示す。携帯電話機１０は、フロントケース１１とリアケース１２とが組み合わされたケース１３の内部に電話機本体組立体１４が組み込まれている構成である。フロントケース１１についてみると、スピーカ１５に対向する部分にスピーカカバー部品１６が取り付けてあり、且つ、マイク１７に対向する部分にマイクカバー部品１８が取り付けてある構成である。スピーカカバー部品１６及びマイクカバー部品１８は、フロントケース１１とは別の部品である。
【０００４】
スピーカ１５に対向する部分についてみると、図１（Ｂ）に示すように、フロントケース１１には、スピーカ１５に対応する大きさの開口１１ａが形成してあり、この開口１１ａの縁に沿う環状のリブ１１ｂが形成してある。スピーカカバー部品１６は、複数の孔１６ａを有し、下面のボス１６ｂをフロントケース１１の位置決め孔１１ｃに嵌合させて位置決めされて、両面接着テープ２２によってフロントケース１１の上面に取り付けてある。環状のクッション部材２３が、環状のリブ１１ｂとスピーカ１５の外周部１５ａとの間に挟まれている。
【０００５】
スピーカ１５の上面側の空間２０は、フロントケース１１の環状のリブ１１ｂとカバー部材１６と環状のクッション部材２３とによって形成してある。
マイク１７に対向する部分も、スピーカ１５に対向する部分と略同じである。図１（Ｃ）に示すように、フロントケース１１には、マイク１７に対応する大きさの筒部１１ｅ及び開口１１ｆが形成してある。マイクカバー部品１８は、両面接着テープ２５によってフロントケース１１上に接着してあり、孔１８ａが開口１１ｆと一致している。マイク１７は、筒部１１ｅ内に収まっている。
【０００６】
マイク１７の上面側の空間２６は、フロントケース１１の開口１１ｆとマイクカバー部品１８とによって形成してある。
【０００７】
【発明が解決しようとする課題】
スピーカ１５に対向する部分についてみると、図１（Ｂ）の一部に拡大して誇張して示すように、カバー部材１６がフロントケース１１から浮いてカバー部材１６とフロントケース１１との間に隙間２７ができる場合がある。このできた隙間２７は、上記の空間２０とつながっており、スピーカ１５から発せられた音のうち特に高周波の音声が隙間２２内に回り込む。このことによって、複数の孔１６ａから出て聞こえるスピーカ１５からの音声が濁った音声となってしまっていた。よって、スピーカの音響特性の点で問題があった。
【０００８】
また、上記の隙間２２のでき具合は、組み立てた携帯電話機１０によってばらつくため、スピーカの音響特性も、携帯電話機１０ごとにばらついていた。
マイク１７に対向する部分についてみると、図１（Ｃ）の一部に拡大して誇張して示すように、カバー部材１８がフロントケース１１から浮いてカバー部材１８とフロントケース１１との間に隙間２８ができる場合がある。このできた隙間２８は、上記の空間２６とつながっており、孔１８ａから空間２６内に入った音声のうち特に高周波の音が隙間２８内に回り込む。このことによって、マイク１７が拾う音声は濁った音声となってしまっていた。よって、音響特性の点で問題があった。
【０００９】
また、上記の隙間２８のでき具合は、組み立てた携帯電話機１０によってばらつくため、マイク１７が拾う音響特性も、携帯電話機１０ごとにばらついていた。
そこで、本発明は上記課題を解決した携帯電話機を提供することを目的とする。
【００１０】
【課題を解決するための手段】
請求項１の発明は、ケースの内部に電話機本体組立体が組み込まれており、スピーカを有し、該スピーカの部分に上記ケースとは別の部品であるスピーカカバー部品が取り付けてある構成の携帯電話機において、該ケースは、上記スピーカと対向する部分に開口を有し、上記スピーカカバー部品は、板部と、該板部の下面に突き出た環状の環状リブと、上記板部の下面のうち上記環状リブより外側の部位に、筒状のボスと、溶着用リブとを有し、上記板部は、該環状リブを覆う天板部を有し、該天板部に孔を有し、該スピーカカバー部品が、上記環状リブが上記開口内に嵌合した状態で上記ケースに固定してあり、上記環状リブと上記天板部とが上記スピーカに対向する空間を形成し、該筒状のボスを上記ケースの位置決め孔に嵌合させた状態で、上記溶着用リブを上記ケースに溶着されている構成としたものである。
【００１１】
ケースとは別の部品であるスピーカカバー部品の環状リブと天板部とがスピーカに対向する空間を形成する構成であるため、従来のようにケースとスピーカカバー部品とによってスピーカに対向する空間を形成している構成に比べて、スピーカカバー部品のケースへの固定にバラツキがあっても、スピーカに対向する空間への影響が及ばないようになる。また、スピーカカバー部品の筒状のボスは倒れに対する強度が高く、よって溶着の過程において筒状のボスには超音波振動が作用して倒す方向の力が作用するけれども、筒状のボスが倒れことが起きず、よって、スピーカカバー部品を精度良く位置決めされた状態で溶着することが可能となる。また、ボスが筒状であるため、スピーカカバー部品を成形するときに表面にひけが現れにくいようになる。
【００１５】
請求項２の発明は、上記環状リブと上記スピーカのフレームとの間に環状のクッション材が挟んである構成としたものである。
環状のクッション材は押しつぶされるように弾性変形して、スピーカカバー部品のケースへの固定等にのバラツキを吸収して、スピーカカバー部品のケースへの固定等にバラツキがあっても、携帯電話機を組立てた場合に環状リブとスピーカのフレームとの間に隙間ができないようになる。
【００１６】
請求項３の発明は、ケースの内部に電話機本体組立体が組み込まれており、マイクを有し、該マイクの部分に上記ケースとは別の部品であるマイクカバー部品が取り付けてある構成の携帯電話機において、該ケースは、上記マイクと対向する部分に開口を有し、上記マイクカバー部品は、板部と、該板部の下面に突き出た環状の環状リブと、上記板部の下面のうち上記環状リブより外側の部位に、筒状のボスと、溶着用リブとを有し、上記板部は、該環状リブを覆う天板部を有し、該天板部に孔を有し、該マイクカバー部品が、上記環状リブが上記開口内に嵌合した状態で上記ケースに固定してあり、上記環状リブと上記天板部とが上記マイクに対向する空間を形成し、該筒状のボスを上記ケースの位置決め孔に嵌合させた状態で、上記溶着用リブを上記ケースに溶着されている構成としたものである。
【００１７】
ケースとは別の部品であるマイクカバー部品の環状リブと天板部とがマイクに対向する空間を形成する構成であるため、従来のようにケースとマイクカバー部品とによってマイクに対向する空間を形成している構成に比べて、マイクカバー部品のケースへの固定にバラツキがあっても、マイクに対向する空間への影響が及ばないようになる。また、マイクカバー部品の筒状のボスは倒れに対する強度が高く、よって溶着の過程において筒状のボスには超音波振動が作用して倒す方向の力が作用するけれども、筒状のボスが倒れことが起きず、よって、マイクカバー部品を精度良く位置決めされた状態で溶着することが可能となる。また、ボスが筒状であるため、マイクカバー部品を成形するときに表面にひけが現れにくいようになる。
【００１８】
請求項４の発明は、ケースの内部に電話機本体組立体が組み込まれており、スピーカ及びマイクを有し、該スピーカの部分に上記ケースとは別の部品であるスピーカカバー部品が取り付けてり、該マイクの部分に上記ケースとは別の部品であるマイクカバー部品が取り付けてある構成の携帯電話機において、該ケースは、上記スピーカと対向する部分に第１の開口を有し、上記スピーカカバー部品は、第１の板部と、該第１の板部の下面に突き出た第１の環状の環状リブと、上記第１の板部の下面のうち上記第１の環状リブより外側の部位に、第１の筒状のボスと、第１の溶着用リブとを有し、上記第１の板部は、該第１の環状リブを覆う第１の天板部を有し、該第１の天板部に第１の孔を有し、該スピーカカバー部品が、上記第１の環状リブが上記第１の開口内に嵌合した状態で上記ケースに固定してあり、上記第１の環状リブと上記第１の天板部とが上記スピーカに対向する空間を形成し、該第１の筒状のボスを上記ケースの第１の位置決め孔に嵌合させた状態で、上記第１の溶着用リブを上記ケースに溶着されている構成であり、該ケースは、上記マイクと対向する部分に第２の開口を有し、上記マイクカバー部品は、第２の板部と、該第２の板部の下面に突き出た第２の環状の環状リブと、上記第２の板部の下面のうち上記第２の環状リブより外側の部位に、第２の筒状のボスと、第２の溶着用リブとを有し、上記第２の板部は、該第２の環状リブを覆う第２の天板部を有し、該第２の天板部に第２の孔を有し、該マイクカバー部品が、上記第２の環状リブが上記第２の開口内に嵌合した状態で上記ケースに固定してあり、上記第２の環状リブと上記第２の天板部とが上記マイクに対向する空間を形成し、該第２の筒状のボスを上記ケースの第２の位置決め孔に嵌合させた状態で、上記第２の溶着用リブを上記ケースに溶着されている構成としたものである。
【００１９】
ケースとは別の部品であるスピーカカバー部品の環状リブと天板部とがスピーカに対向する空間を形成する構成であるため、従来のようにケースとスピーカカバー部品とによってスピーカに対向する空間を形成している構成に比べて、スピーカカバー部品のケースへの固定にバラツキがあっても、スピーカに対向する空間への影響が及ばないようになる。また、スピーカカバー部品の筒状のボスは倒れに対する強度が高く、よって溶着の過程において筒状のボスには超音波振動が作用して倒す方向の力が作用するけれども、筒状のボスが倒れことが起きず、よって、スピーカカバー部品を精度良く位置決めされた状態で溶着することが可能となる。また、ボスが筒状であるため、スピーカカバー部品を成形するときに表面にひけが現れにくいようになる。
【００２０】
また、ケースとは別の部品であるマイクカバー部品の環状リブと天板部とがマイクに対向する空間を形成する構成であるため、従来のようにケースとマイクカバー部品とによってマイクに対向する空間を形成している構成に比べて、マイクカバー部品のケースへの固定にバラツキがあっても、マイクに対向する空間への影響が及ばないようになる。また、マイクカバー部品の筒状のボスは倒れに対する強度が高く、よって溶着の過程において筒状のボスには超音波振動が作用して倒す方向の力が作用するけれども、筒状のボスが倒れことが起きず、よって、マイクカバー部品を精度良く位置決めされた状態で溶着することが可能となる。また、ボスが筒状であるため、マイクカバー部品を成形するときに表面にひけが現れにくいようになる。
【００２１】
【発明の実施の形態】
図２に示すように、本発明の一実施例になる携帯電話機４０は、電話機本体組立体４１が、組み合わされたフロントケース４２とリアケース４３との内部に組み込まれた構成である。電話機本体組立体４１は、長手方向の一端側にスピーカ４４を有し、他端側にマイク４５を有する。Ｙ１−Ｙ２方向が携帯電話機４０の長手方向であり、Ｘ１−Ｘ２方向が携帯電話機４０の幅方向である。
【００２２】
フロントケース４２についてみると、図５に示すように、スピーカ４４に対向する部分にスピーカカバー部品取付部４６が形成してあり、ここに、スピーカカバー部品４７が取り付けてあり、且つ、図７に示すように、マイク４５に対向する部分に、マイクカバー部品取付部４８が形成してあり、ここに、マイクカバー部品４７が取り付けてある。フロントケース４２及びリアケース４３は、合成樹脂成形品である。スピーカカバー部品４９及びマイクカバー部品４７は、フロントケース４２とは別の部品であり、合成樹脂成形品であり、フロントケース４２とは異なる色を有する。フロントケース４２は、スピーカカバー部品４９及びマイクカバー部品４７が後述するように取り付けられた状態で、リアケース４３と組み合わされる。
【００２３】
先ず、スピーカ４４周りの構造について説明する。
フロントケース４２のスピーカカバー部品取付部４６は、図５に示すように、上面にスピーカカバー部品の外形に対応する形状の浅い凹部４６ａを有し、スピーカ４４に対向する部分に径がＤ１であり、スピーカ４４より大きい開口４６ｂを有する。開口４６ｂのＸ２方向側に径がＤ２の位置決め用孔４６ｃを有し、開口４６ｂのＸ１方向側に位置決め用孔４６ｄを有する。径Ｄ２は、後述する位置決め用筒部が嵌合する大きさである。位置決め用孔４６ｃ及び４６ｄは、開口４６ｂの中心Ｏ１を通るＸ１−Ｘ２方向の線５０上にあり、中心Ｏ１に関して対称に配してある。位置決め用孔４６ｄは、Ｘ１−Ｘ２方向に長い長円である。４６ｅは浅い凹部４６ａの周囲の立ち上げ壁である。
【００２４】
スピーカカバー部品４７は、図５に示すように、スピーカカバー部品取付部４６の浅い凹部４６ａに対応する形状の薄い板部４７ａと、この薄い板部４７ａの下面に突き出ている環状リブ４７ｂ、筒状ボス４７ｃ、Ｈ形状ボス４７ｄとよりなる。薄い板部４７ａは、スピーカカバー部品取付部４６の浅い凹部４６ａに対応する形状を有する。環状リブ４７ｂ、筒状ボス４７ｃ、Ｈ形状ボス４７ｄは、上記の開口４６ｂ、位置決め用孔４６ｃ、４６ｄに対応する関係にある。環状リブ４７ｂは、開口４６ｂよりひと回り小さく、スピーカ４４のフレーム４４ａと対応する大きさを有する。この環状リブ４７ｂと、薄い板部４７ａのうち環状リブ４７ｂを覆って天板を形成している天板部４７ａ１とが、後述する空間５２を形成する。天板部４７ａ１は、少し凹形状であり、ここに、小さい孔４７ｅが複数並んで形成してある。
【００２５】
上記のスピーカカバー部品４７は、図３及び図６に示すように、筒状ボス４７ｃが位置決め用孔４６ｃに嵌合し、Ｈ形状ボス４７ｄが位置決め用孔４６ｄに嵌合して、二箇所で位置決めされて、フロントケース４２のスピーカカバー部品取付部４６に両面接着テープで接着されて、薄い板部４７ａが浅い凹部４６ａ内に収まった状態で取り付けてある。環状リブ４７ｂは、開口４６ｂ内に嵌合して、フロントケース４２の内側に向かって突き出ている。
【００２６】
組立てられた携帯電話機４０において、電話機本体組立体４１のスピーカ４４とフロントケース４２との関係は、図３に示すようになる。スピーカ４４のフレーム４４ａ上に環状のクッション部材５１が接着されて載っており、環状リブ４７ｂが、環状のクッション部材５１の上面に押し当たっている。スピーカ４４の上面側の空間５２は、環状リブ４７ｂと、天板部４７ａ１と、環状のクッション部材５１とによって形成してある。この空間５２には、スピーカカバー部品４７がフロントケース４２へ接着された部分は露出していない。よって、図３に拡大して示すように、仮に、スピーカカバー部品４７とフロントケース４２との接着部分に隙間５５ができた場合でも、この隙間５５は空間５２につながってはいず、よってスピーカ４４から発せられた音声が隙間内に回り込むことは起きない。環状のクッション部材５１は少し押しつぶされ、これによって発生している弾性力によって環状リブ４７ｂに押し当たっており、環状リブ４７ｂと環状のクッション部材５１とは密着しており、この部分に隙間は形成されていない。よって、空間５２を含めたスピーカ４４は良好な音響特性を有し、複数の孔４７ｅからは、濁りのないクリアの音を聞くことが出来る。
【００２７】
なお、環状のクッション部材５１の厚さは組み立てた状態で環状リブ４７ｂによって少し押しつぶされる関係となるように定めてあり、環状のクッション部材５１は、スピーカカバー部品４７のフロントケース４２に対する位置の誤差を吸収する役割を有する。即ち、環状のクッション部材５１を設けたことによって、スピーカカバー部品４７のフロントケース４２に対する位置のばらつき、即ち、環状リブ４７ｂのフロントケース４２内への突出し寸法のばらつきを考慮した場合にも、常に、環状リブ４７ｂが環状のクッション部材５１に確実に押し当たるようになる。
【００２８】
また、Ｘ−Ｙ面上、スピーカカバー部品４７はフロントケース４２に位置決めされており、各組立てられた携帯電話機４０間において、環状リブ４７ｂのスピーカ４４に対する位置のばらつきは殆ど無い。よって、この点からも、各組立てられた携帯電話機４０間におけるスピーカ４４の音響特性にばらつきは殆ど無い。
【００２９】
次に、スピーカカバー部品４７についての他の特徴について説明する。
図５に示すように、環状リブ４７ｂは、下面に、環状の溝４７ｂ１を有しており、薄肉化を図っており、薄い板部４７ａの表面にはひけが現れていない。
筒状ボス４７ｃを筒状ボス４７ｃと同じ径の中実のボスと比べてみる。筒状ボス４７ｃは、リブの厚みがｔ１と薄いけれども、環状であることによって、上記の中実のボスと比べて、倒れに対して同程度の強度を有する。しかも、上記の中実のボスの場合には、板部にひけが現れてしまうけれども、筒状ボス４７ｃはリブの厚みｔ１が薄いために、薄い板部４７ａの表面にひけは現れてない。
【００３０】
また、Ｈ形状ボス４７ｄをＨ形状ボス４７ｄの外形と同程度の径の中実のボスと比べてみる。Ｈ形状ボス４７ｄは、リブの厚みがｔ２と薄いけれども、Ｈ形状であることによって倒れに対して強い強度を有し、且つ、厚みｔ２が薄いために、薄い板部４７ａの表面にひけは現れない。また、Ｈ形状ボス４７ｄは、Ｈを９０度回した形状であり、図６中、Ｘ１−Ｘ２方向に長い２つの腕がＹ１，Ｙ２方向上離れて配されている。
【００３１】
次に、スピーカカバー部品４７のフロントケース４２に対する位置決めについて説明する。
ここで、仮に、左右側を共に、円形孔と筒状ボスとによって位置決めする場合には、左右側の円形孔の間の中心間距離と左右側の筒状ボスの間の中心間距離とを高精度に等しくなるようにする必要がある。しかし、このことは実際上は困難であり、現実的には、円形孔の径を筒状ボスの径より少し大きく定めることになる。このようにすると、スピーカカバー部品をフロントケースに組み付けた場合のスピーカカバー部品のがたつきが大きくなって、スピーカカバー部品をフロントケースに対して精度良く位置決めすることが困難となる。
【００３２】
しかし、本実施例においては、図５及び図６に示すように、１つの位置決め用孔４６ｄがＸ１−Ｘ２方向に長い長円であり、Ｈ形状ボス４７ｄと位置決め用孔４６ｄとは、Ｙ１−Ｙ２方向にのみ位置規制される関係にある。よって、左右側の位置決め用孔４６ｃと位置決め用孔４６ｄとの間の中心間距離Ｌ１を精度良く決める必要はなく、且つ、筒状ボス４７ｃとＨ形状ボス４７ｄとの間の中心間距離Ｌ２を精度良く決める必要もない。よって、フロントケース４２用の成形金型及びスピーカカバー部品４７用の成形金型の製作は、上記の場合に比べて簡単となる。
【００３３】
また、位置決め用孔４６ｃと筒状ボス４７ｃとについては、径Ｄ２、Ｄ３を精度よく定めることが出来る。位置決め用孔４６ｄについては、Ｙ１−Ｙ２方向の寸法Ａ１を精度良く定めることが出来る。Ｈ形状ボス４７ｄに関しても、Ｙ１−Ｙ２方向の寸法Ｂ１を精度良く定めることが出来る。よって、スピーカカバー部品４７をフロントケース４２に組み付けた場合のスピーカカバー部品４７のがたつきが小さくなり、スピーカカバー部品４７をフロントケース４２に対して精度良く位置決めすることが可能となる。
【００３４】
また、長円の位置決め用孔４６ｄについては、Ｘ１−Ｘ２方向の寸法Ａ２については精度良く定める必要は無く、Ｈ形状ボス４７ｄに関しても、Ｘ１−Ｘ２方向の寸法Ｂ２については精度良く定める必要は無い。このことも、フロントケース４２用の成形金型及びスピーカカバー部品４７用の成形金型の製作を容易にする。
【００３５】
次に、マイク４５の周りの構造について説明する。
マイク周りの構造は、上記のスピーカの周りの構造と略同じである。
フロントケース４２のマイクカバー部品取付部４８は、図７に示すように、上面にマイクカバー部品の外形に対応する形状の浅い凹部４８ａを有し、マイク４５に対向する部分に円形の開口４８ｂを有し、この開口４８ｂのＸ２側に円形の位置決め孔４８ｃを有し、開口４８ｂのＸ１側にＸ１−Ｘ２方向に長い長円の位置決め孔４８ｄを有する。
【００３６】
マイクカバー部品４９は、図７に示すように、マイクカバー部品取付部４８の浅い凹部４８ａに対応する形状の薄い板部４９ａと、この薄い板部４９ａの下面に突き出ている環状リブ４９ｂ、筒状ボス４９ｃ、Ｈ形状ボス４９ｄとよりなる。環状リブ４９ｂの内側には天板部４９ａ１があり、ここに、孔４９ｅを有する。
【００３７】
マイクカバー部品４９は、図４に示すように、筒状ボス４７ｃが位置決め孔４８ｃに嵌合し、Ｈ形状ボス４７ｄが位置決め孔４８ｄに嵌合することによって位置決めされて、両面接着テープによってマイクカバー部品取付部４８に固定してある。環状リブ４９ｂは、開口４８ｂを嵌合してフロントケース４２の内部側に向かって突き出している。
【００３８】
フロントケース４２の内側の筒部４２ａがマイク４５を嵌合してマイク４５を保持している。マイク４５はクッション性の覆い部材４５ａで包まれている。環状リブ４９ｂはマイク４５の上面の覆い部材４５ａに押し当たっている。
マイク４５の上面の空間５６は、マイクカバー部品４９の環状リブ４９ｂと天板部４９ａ１とによって形成されている。空間５６には、マイクカバー部品４９がフロントケース４２へ接着された部分は露出していない。よって、図４に拡大して示すようにマイクカバー部品４９とフロントケース４２との接着部分に隙間５７が出来たとしても、この隙間５７は空間５６につながってはいず、よって、孔４９ａから空間５６内に入った音声の高周波成分が隙間５７内に回り込むようなことは起きず、マイク４５は、音声を良好にピックアップする。これによって、携帯電話機４０は、マイク４５に関して良好な音響特性を有し、濁りのないクリアの音声を送り出すことが出来る。
【００３９】
次に、スピーカカバー部品のフロントケースへの取り付けの変形例について説明する。
図８は第１の変形例を示す。
スピーカカバー部品４７Ａは、裏面に超音波溶着用リブ７０が複数分散して設けてある。このスピーカカバー部品４７Ａは、超音波溶着用リブ７０をフロントケース４２に溶着されてフロントケース４２に固定される。
【００４０】
ここで、筒状ボス４７ｃ及びＨ形状ボス４７ｄは倒れに対して強い強度を有するため、超音波振動が加えられたときに、位置決め用孔４６ｃに嵌合している筒状ボス４７ｃが倒れたり、位置決め用孔４６ｄに嵌合しているＨ形状ボス４７ｄが倒れたりすることは起きず、よって、スピーカカバー部品４７Ａは、正常に位置決めされた状態で固定される。
【００４１】
図９は第２の変形例を示す。
スピーカカバー部品４７Ｂは、図５のスピーカカバー部品４７の筒状ボス４７ｃ及びＨ形状ボス４７ｄに代えて、引っかけ用フック４７Ｂｃ、４７Ｂｄを有する構成である。フロントケース４２Ｂのスピーカカバー部品取付部４６Ｂは、図５の位置決め用孔４６ｃ、４６ｄに代えて、引っかけ用フック４７Ｂａ、４７Ｂｂが嵌合する孔４６Ｂｃ、４６Ｂｄを有する構成である。
【００４２】
スピーカカバー部品４７Ｂは、スピーカ４４の付近については、図１０（Ａ）に示すように、引っかけ用フック４７Ｂｃ（４７Ｂｄ）が孔４６Ｂｃ（４６Ｂｄ）に嵌合して引っかかった状態で、且つ、Ｙ２方向側については、両面接着テープ８０  によって接着されて、スピーカカバー部品取付部４６Ａに固定してある。スピーカカバー部品４７Ｂは、スピーカ４４の付近については、図１０（Ｂ）に示すように、環状のクッション部材５１の弾性力Ｆによってスピーカカバー部品取付部４６Ｂから浮く方向に付勢されているけれども、引っかけ用フック４７Ｂｃ（４７Ｂｄ）がスピーカ４４の中心の両側の位置で孔４６Ｂｃ（４６Ｂｄ）に嵌合して引っかかっているため、引っかけ用フック４７Ｂｃ（４７Ｂｄ）よりＹ１方向側での環状のクッション部材５１の弾性力と引っかけ用フック４７Ｂｃ（４７Ｂｄ）よりＹ２方向側での環状のクッション部材５１の弾性力とは等しく、よって、スピーカカバー部品４７Ｂが傾くようなことは起きない。よって、スピーカカバー部品４７Ｂは、安定に且つしっかり固定される。
【００４３】
【発明の効果】
以上説明したように、請求項１の発明によれば、ケースとは別の部品であるスピーカカバー部品の環状リブと天板部とがスピーカに対向する空間を形成する構成であるため、従来のようにケースとスピーカカバー部品とによってスピーカに対向する空間を形成している構成に比べて、スピーカカバー部品のケースへの固定にバラツキがあった場合でも、スピーカに対向する空間への影響が無く、よって、スピーカの音響特性が良好に保たれ、濁りのないクリアな音声を受信することが可能である携帯電話機を実現出来る。換言すれば、量産した場合に、組立のバラツキがあってもそれがスピーカの音響特性に影響を及ばさないように出来る。また、スピーカカバー部品は、上記板部の下面のうち上記環状リブより外側の部位に、筒状のボスと、溶着用リブとを有し、該筒状のボスを上記ケースの位置決め孔に嵌合させた状態で、上記溶着用リブを上記ケースに溶着されている構成としたため、筒状のボスは倒れに対する強度が高く、よって溶着の過程において筒状のボスが倒れることが起きず、よって、スピーカカバー部品を精度良く位置決めされた状態で溶着することが出来る。また、ボスが筒状であるため、スピーカカバー部品を成形するときに表面にひけが現れにくいように出来る。
【００４５】
請求項２の発明によれば、環状リブとスピーカのフレームとの間に環状のクッション材が挟んである構成としたため、スピーカカバー部品のケースへの固定等にバラツキがあっても、携帯電話機を組立てた場合に環状リブとスピーカのフレームとの間に隙間ができないようにすることが出来、よって、組立てのばらつきを考慮しても、スピーカの音響特性が良好に保たれ、濁りのないクリアな音声を受信することが可能である携帯電話機を実現出来る。
【００４６】
請求項３の発明によれば、ケースとは別の部品であるマイクカバー部品の環状リブと天板部とがマイクに対向する空間を形成する構成であるため、従来のようにケースとマイクカバー部品とによってマイクに対向する空間を形成している構成に比べて、マイクカバー部品のケースへの固定にバラツキがあっても、マイクに対向する空間への影響が無いように出来る。よって、マイクカバー部品のケースへの固定にバラツキがあっても、マイクの音響特性が良好に保たれ、マイクが音声を良好にピックアップすることが出来、濁りのないクリアな音声を送信可能な携帯電話機を実現出来る。換言すれば、量産した場合に、組立のバラツキがあってもそれがマイクの音響特性に影響を及ばさないように出来る。また、マイクカバー部品は、上記板部の下面のうち上記環状リブより外側の部位に、筒状のボスと、溶着用リブとを有し、該筒状のボスを上記ケースの位置決め孔に嵌合させた状態で、上記溶着用リブを上記ケースに溶着されている構成としたため、筒状のボスは倒れに対する強度が高く、よって溶着の過程において筒状のボスが倒れることが起きず、よって、マイクカバー部品を精度良く位置決めされた状態で溶着することが出来る。また、ボスが筒状であるため、マイクカバー部品を成形するときに表面にひけが現れにくいように出来る。
【００４７】
請求項４の発明によれば、スピーカカバー部品のケースへの取り付けにバラツキがあっても、濁りのないクリアな音声を受信することが可能であり、且つ、マイクカバー部品のケースへの固定にバラツキがあっても、濁りのないクリアな音声を送信可能な携帯電話機を実現出来る。換言すれば、量産した場合に、組立のバラツキがあってもそれがスピーカ音響特性及びマイクの音響特性に影響を及ばさないように出来る。また、スピーカカバー部品及びマイクカバー部品は、上記板部の下面のうち上記環状リブより外側の部位に、筒状のボスと、溶着用リブとを有し、該筒状のボスを上記ケースの位置決め孔に嵌合させた状態で、上記溶着用リブを上記ケースに溶着されている構成としたため、筒状のボスは倒れに対する強度が高く、よって溶着の過程において筒状のボスが倒れることが起きず、よって、スピーカカバー部品及びマイクカバー部品を精度良く位置決めされた状態で溶着することが出来る。また、ボスが筒状であるため、スピーカカバー部品及びマイクカバー部品を成形するときに表面にひけが現れにくいように出来る。
【図面の簡単な説明】
【図１】従来の携帯電話機を示す図である。
【図２】本発明の一実施例になる携帯電話機を示す図である。
【図３】図２中、III-III 線に沿う拡大断面図である。
【図４】図２中、IV-IV 線に沿う拡大断面図である。
【図５】スピーカカバー部品の取り付けを説明する図である。
【図６】スピーカカバー部品の位置決めを説明する図である。
【図７】マイクカバー部品の取り付けを説明する図である。
【図８】スピーカカバー部品の取り付けの第１の変形例を示す図である。
【図９】スピーカカバー部品の取り付けの第２の変形例を示す図である。
【図１０】図９のスピーカカバー部品が取り付けられている状態を示す断面図である。
【符号の説明】
４０  携帯電話機
４１  電話機本体組立体
４２  フロントケース
４３  リアケース
４６  スピーカカバー部品取付部
４７  スピーカカバー部品
４７ｂ  環状リブ
４８  マイクカバー部品取付部
４９  マイクカバー部品
４９ｂ  環状リブ
５２、５６  空間
７０  超音波溶着用リブ
４７Ｂｃ，４７Ｂｄ  引っかけ用フック
【図１】
0003639110.tif 000002
【図２】
0003639110.tif 000003
【図３】
0003639110.tif 000004
【図４】
0003639110.tif 000005
【図５】
0003639110.tif 000006
【図６】
0003639110.tif 000007
【図７】
0003639110.tif 000008
【図８】
0003639110.tif 000009
【図９】
0003639110.tif 000010
【図１０】
0003639110.tif 000011